(57)【要約】【課題】溶接を行なうことなく、熟練工以外の者も加工可能であり、低コストで製造できる外装用金属パネルを提供する。【解決手段】方形のパネル面板２と、パネル面板２の前後左右辺で夫々下方に直角に折り曲げられて連設される前後左右の側面板３，３，５，５と、前後左右の側面板３，３，５，５の先端辺で夫々外方に向け直角に折り曲げられて連設される前後左右のパネル取り付けつば４，４，６，６とによりパネル本体７が形成され、パネル本体７の裏面四隅に前後の側面板３，３と左右の側面板５，５とを夫々連結するコーナーブロック８，８…が配設され、コーナーブロック８，８…の外方角部と、前後左右の側面板３，３，５，５との間にシーリング材が圧入充填される外装用金属パネル１を提供する。【選択図】図１
2009203758.tif 000002
【特許請求の範囲】
【請求項１】
方形のパネル面板と、前記パネル面板の前後辺で下方に直角に折り曲げられて連設される前後の側面板と、前記前後の側面板の先端辺で外方に向け直角に折り曲げられて連設される前後のパネル取り付けつばと、前記パネル面板の左右辺で下方に直角に折り曲げられて連設される左右の側面板と、前記左右の側面板の先端辺で外方に向け直角に折り曲げられて連設される左右のパネル取り付けつばとによりパネル本体が形成され、前記パネル本体の裏面における四隅に前後の側面板と左右の側面板とを夫々連結するコーナーブロックが配設され、前記コーナーブロックの外方角部と、前後の側面板と左右の側面板との間にシーリング材が圧入充填されていることを特徴とする外装用金属パネル。
【請求項２】
前記コーナーブロックは、縦壁と横壁をＬ字状に連結された外壁部と、前記外壁部の内方端を連結する斜壁と、前記縦壁と横壁と斜壁の下面に連結された底部とからなるブロック状に構成され、前記外壁部の外方角部が面取りされ、前記底部の下面における外方縁が斜欠されていることを特徴とする請求項１記載の外装用金属パネル。
【請求項３】
パネル面板と、前記パネル面板の前後辺から連設される前後の側面板と、前記前後の側面板の先端辺から夫々連接される前後のパネル取り付けつばと、パネル面板の左右辺から夫々連設される左右の側面板と、左右の側面板の先端辺から夫々連接される左右のパネル取り付けつばとを金属板上に寸法取りし、寸法取りに従って前記金属板を裁断する工程と、
前記パネル面板の前後左右辺で、前記前後の側面板と、前記左右の側面板とを夫々下方に向け直角に折り曲げる工程と、
前記前後の側面板の先端辺と、前記左右の側面板の先端辺で、前記前後のパネル取り付けつばと、前記左右のパネル取り付けつばとを夫々外方に向け直角に折り曲げてパネル本体を作成する工程と、
縦壁と横壁とをＬ字状に連結された外壁部と、前記外壁部の内方端を連結する斜壁と、前記縦壁と横壁と斜壁の下面に連結された底部とを備えたブロック体を形成し、前記外壁部の外方角部を面取りし、前記底部の下面における外方縁を斜欠してコーナーブロックを形成する工程と、
前記パネル本体の裏面における四隅に前記コーナーブロックを内方から前記コーナーブロックの底部が下になるように当接させて固着し、前記コーナーブロックによって、前後の側面板と左右の側面板とを夫々連結固定する工程と、
コーナーブロックの斜欠された外方縁から面取りされた外方角部に、シーリング材を圧入充填する工程とを備えたことを特徴とする外装用金属パネルの製造方法。
【発明の詳細な説明】
【技術分野】
【０００１】
本発明は、溶接を行なわないため、熟練工以外の者も加工可能で、低コストで製造できる外装用金属パネル及びその製造方法に関する。
【背景技術】
【０００２】
此種、従来の外装用金属パネルとして、種々の外装用金属パネルが市販されているが、それらは、一般に比較的複雑な構造を有し、その製造加工が複雑であったり、材料費がかかる等により、コスト高になるものが多く、又、溶接等を要する場合は、熟練工による作業が必要となる等の問題があり、その解決が望まれていた。
【０００３】
尚、この種従来の外装用金属パネルの先行文献として、例えば、特許文献１があり、特許文献１は、メッキ鋼板を折曲加工し、隅角部を溶接して開き止めを行った建物外装用金属パネルにおいて、溶接時の熱によって、表面板部の四隅部におけるメッキ層の結晶の表情が損なわれないようにし、メッキ鋼板本来の美観と防錆効果を保ち、止水性能も確保できるようにするものである。
【特許文献１】特開平１１−１８１９９６号公報
【発明の開示】
【発明が解決しようとする課題】
【０００４】
前述したように、従来の外装用金属パネルは、一般に比較的複雑な構造を有し、コスト高になったり、溶接等の熟練工による作業が必要となる等の問題点があった。
尚、前記特許文献１は、製造工程で溶接を行なうものであり、前記問題点を解決するものではない。
【０００５】
以上の現状に鑑み、本発明は、溶接を行なうことなく、熟練工以外の者も加工可能であり、低コストで製造できる外装用金属パネル及びその製造方法を提供することを目的とする。
【課題を解決するための手段】
【０００６】
上記の課題を解決すべく、本発明は以下の構成を提供する。
請求項１に係る発明は、方形のパネル面板と、前記パネル面板の前後辺で下方に直角に折り曲げられて連設される前後の側面板と、前記前後の側面板の先端辺で外方に向け直角に折り曲げられて連設される前後のパネル取り付けつばと、前記パネル面板の左右辺で下方に直角に折り曲げられて連設される左右の側面板と、前記左右の側面板の先端辺で外方に向け直角に折り曲げられて連設される左右のパネル取り付けつばとによりパネル本体が形成され、前記パネル本体の裏面における四隅に前後の側面板と左右の側面板とを夫々連結するコーナーブロックが配設され、前記コーナーブロックの外方角部と、前後の側面板と左右の側面板との間にシーリング材が圧入充填されていることを特徴とする外装用金属パネルを提供するものである。
【０００７】
請求項２に係る発明は、前記コーナーブロックは、縦壁と横壁をＬ字状に連結された外壁部と、前記外壁部の内方端を連結する斜壁と、前記縦壁と横壁と斜壁の下面に連結された底部とからなるブロック状に構成され、前記外壁部の外方角部が面取りされ、前記底部の下面における外方縁が斜欠されていることを特徴とする請求項１記載の外装用金属パネルを提供するものである。
【０００８】
請求項３に係る発明は、パネル面板と、前記パネル面板の前後辺から連設される前後の側面板と、前記前後の側面板の先端辺から夫々連接される前後のパネル取り付けつばと、パネル面板の左右辺から夫々連設される左右の側面板と、左右の側面板の先端辺から夫々連接される左右のパネル取り付けつばとを金属板上に寸法取りし、寸法取りに従って前記金属板を裁断する工程と、
前記パネル面板の前後左右辺で、前記前後の側面板と、前記左右の側面板とを夫々下方に向け直角に折り曲げる工程と、
前記前後の側面板の先端辺と、前記左右の側面板の先端辺で、前記前後のパネル取り付けつばと、前記左右のパネル取り付けつばとを夫々外方に向け直角に折り曲げてパネル本体を作成する工程と、
縦壁と横壁とをＬ字状に連結された外壁部と、前記外壁部の内方端を連結する斜壁と、前記縦壁と横壁と斜壁の下面に連結された底部とを備えたブロック体を形成し、前記外壁部の外方角部を面取りし、前記底部の下面における外方縁を斜欠してコーナーブロックを形成する工程と、
前記パネル本体の裏面における四隅に前記コーナーブロックを内方から前記コーナーブロックの底部が下になるように当接させて固着し、前記コーナーブロックによって、前後の側面板と左右の側面板とを夫々連結固定する工程と、
コーナーブロックの斜欠された外方縁から面取りされた外方角部に、シーリング材を圧入充填する工程とを備えたことを特徴とする外装用金属パネルの製造方法を提供するものである。
【発明の効果】
【０００９】
本発明の請求項１記載の発明によれば、溶接を行なうことなく、熟練工以外の者も加工可能であり、低コストで製造できる外装用金属パネルを提供することができる。又、溶接を行なわないため、二酸化炭素排出の排出及び有毒ガスの発生がゼロであり、環境に配慮することができる。
【００１０】
請求項２記載の発明によれば、請求項１記載の発明の効果に加え、パネル本体のコーナーを補強することができると共に、コーナーブロックの斜欠された外方縁から面取りされた外方角部にシーリング材を圧入充填することにより、パネル本体のシーリング材の圧入充填が容易なコーナーブロックを提供することができる。
【００１１】
請求項３記載の発明によれば、溶接を行なうことなく、熟練工以外の者も加工可能であり、低コストで製造できる外装用金属パネルの製造方法を提供できる。
【発明を実施するための最良の形態】
【００１２】
以下、実施例を示した図面を参照しつつ本発明の実施の形態を説明する。
図１に於いて、１は、本発明の外装用金属パネルを示し、外装用金属パネル１は、方形のパネル面板２と、パネル面板２の前後辺で下方に直角に折り曲げられて連設される前後の側面板３，３と、前後の側面板３，３の先端辺で外方に向け直角に折り曲げられて連設される前後のパネル取り付けつば４，４と、パネル面板２の左右辺で下方に直角に折り曲げられて連設される左右の側面板５，５と、左右の側面板５，５の先端辺で外方に向け直角に折り曲げられて連設される左右のパネル取り付けつば６，６とによりパネル本体７が形成され、パネル本体７の裏面における四隅に前後の側面板３，３と左右の側面板５，５とを連結するコーナーブロック８，８…がリベット３４，３４…等により固着されて配設され、図２に示すように、コーナーブロック８の外方角部と、前後の側面板３と左右の側面板５との間にシーリング材９が圧入充填されている。
【００１３】
前記コーナーブロック８は、図３に示すように、縦壁２１と横壁２２をＬ字状に連結された外壁部２３と、外壁部２３の内方端を連結する斜壁２４と、縦壁２１と横壁２２と斜壁２４の下面に連結された底部２５とからなる有底中空ブロック状に構成され、縦壁２１と横壁２２は、前後の側面板３，３と、左右の側面板５，５の幅に対応する寸法長さに形成されていると共に、縦壁２１と横壁２２の略中心には、コーナーブロック８を前後の側面板３、左右の側面板５に夫々リベット締めにて固定するためのリベット孔２６，２６が開穿され、シーリング材を圧入充填するため、コーナーブロック８の外方角部は面取りされており、又、底部２５の下面における外方縁は斜欠されている。
【００１４】
而して、先ず、前記パネル本体７の製造方法を説明する。
＜シャーリング工程＞
図４に示すように、例えば、表面にウレタン焼付塗装が施された高耐候性鋼板等の屋根材等に用いられる板厚０．８ｍｍ程度の金属板上に、前記パネル面板２と、パネル面板２の前後辺から連設される前後の側面板３，３と、前後の側面板３，３の先端辺から夫々連接される前後のパネル取り付けつば４，４と、パネル面板２の左右辺から夫々連設される左右の側面板５，５と、左右の側面板５，５の先端辺から夫々連接される左右のパネル取り付けつば６，６とが展帳された形状に寸法取りを行い、寸法取りに従って裁断する。
次に、前後の側面板３，３端面と、左右の側面板５，５の端面とが互いに対向する夫々の端面近傍に、リベット孔３１，３１…を開穿する。
【００１５】
＜ベンディング工程＞
次に、パネル面板２の前後左右辺の上部に上部折り曲げライン３２，３２…を刻設し、前後左右の側面板３，３，５，５の先端辺の下部に下部折り曲げライン３３，３３…を刻設し、上部折り曲げライン３２，３２…を下方に向け直角に折り曲げた後、下部折り曲げライン３３，３３…を外方に向け直角に折り曲げて図１に示すパネル本体７を作成する。
尚、上部折り曲げライン３２，３２…及び下部折り曲げライン３３，３３…を刻設することなく、直接折り曲げることも可能である。
又、パネル本体７は、例えば、その外形寸法が、標準で１０００×２０００ｍｍ、最大で１０００×２５００ｍｍ、高さ２５ｍｍ、パネル取り付けつば１０ｍｍ程度に形成される。
【００１６】
＜組立工程＞
次に、図５に示すように、パネル本体７の内側四隅部分にコーナーブロック８の底部２５が下になるようにコーナーブロック８，８…を内方から当接させ、図６に示すように、前記リベット孔２６，３１にリベット３４を通して、リベット３４，３４…により前後の側面板３，３の両端部及び左右の側面板５，５の両端部と、コーナーブロック８，８…とを夫々連結固定する。
そして、図７に示すように、コーナーブロック８の底部２５の斜欠された外方縁から面取りされた外方角部に、シーリング材９を圧入充填する。尚、シーリング材９の圧入充填作業は、底部２５を上方に位置させた状態で行なうことが好ましい。
この時、斜欠された外方縁は、シーリング材９を圧入充填するためのノズル先端をコーナーブロック８の外方角部入口に導くために利用される。又、斜欠された外方縁によって、シーリング材９のはみ出し部分を貯留させ、パネル本体７下方へのシーリング材９のはみ出しを防止することができる。
【００１７】
次に、前記外装用金属パネル１の施工方法について説明する。
図８に示すように、例えば、一方の外装用金属パネル１のパネル取り付けつば４をＬ型アングル等の施工場所に於いてリベット３５又はボルト締めして施工し、他方の外装用金属パネル１のパネル取り付けつば４をＬ型アングル等の施工場所に於いて一方の外装用金属パネル１のパネル取り付けつば４の先端と互いに突き合わせてリベット３５又はボルト締めして施工し、一方の外装用金属パネル１と他方の一枚の外装用金属パネル１の隣接する側面板３，３間にコーキング材３６を充填する。
【図面の簡単な説明】
【００１８】
【図１】本発明による外装用金属パネルを示す斜視図である。
【図２】本発明のパネル本体にコーナーブロックを取り付けた状態を裏面から見た拡大斜視図である。
【図３】本発明のコーナーブロックの斜視図である。
【図４】本発明の裁断された状態のパネル本体の平面図である。
【図５】（ａ）本発明のパネル本体にコーナーブロックを取り付けた状態を示す平面図である。（ｂ）前図７（ａ）のＡ−Ａ線縦断面図である。
【図６】本発明のコーナーブロックをリベットを用いてパネル本体に取り付けた状態を示す拡大平面図である。
【図７】（ａ）本発明のパネル本体の裏面における内側四隅部分にシーリング材を圧入充填した状態を示す一部切欠正面図。（ｂ）本発明のパネル本体の裏面における内側四隅部分にシーリング材を圧入充填した状態を示す一部切欠平面図である。
【図８】本発明の外装用金属パネルの施工例を説明する一部切欠平面図である。
【符号の説明】
【００１９】
１  外装用金属パネル
２  パネル面板
３，５  側面板
４，６  パネル取り付けつば
７  パネル本体
８  コーナーブロック
９  シーリング材
２１  縦壁
２２  横壁
２３  外壁部
２４  斜壁
２５  底部
【図１】
2009203758.tif 000003
【図２】
2009203758.tif 000004
【図３】
2009203758.tif 000005
【図４】
2009203758.tif 000006
【図５】
2009203758.tif 000007
【図６】
2009203758.tif 000008
【図７】
2009203758.tif 000009
【図８】
2009203758.tif 000010